(57)【要約】【課題】色彩や光沢のコントラストをデザインに取り入れることにより、高級感を有しデザイン性に優れた化粧用鋏を提供すると同時に、そのような化粧用鋏をより効率的に製造可能な方法を提供する。【解決手段】各鋏片２，３の柄部２２，３２が銀色の金属素材により一体に形成され、互いに背向する第１面２２Ａ，３２Ａ及び第２面２２Ｂ，３２Ｂと、それらの周縁に連なる外周面２２Ｃ，３２Ｃとを有する。第１面２２Ａ，３２Ａ及び第２面２２Ｂ，３２Ｂが艶消し面となっていて、外周面２２Ｃ，３２Ｃが金メッキによる金色の光沢面となっている。各鋏片２，３が、刃部２１と隣接する部位で互いに第２面２２Ｂ，３２Ｂを対向させて重畳され、軸廻りに回動自在に結合されている。【選択図】図３
2008148772.tif 000002
【特許請求の範囲】
【請求項１】
長手方向の第１端側に刃部を備え第２端側に柄部を備えた一対の鋏片が、互いに軸廻りに回動自在に結合されて成る化粧用鋏であって、
各鋏片の柄部がそれぞれ、銀色の金属素材により一体に形成されていて、互いに背向する第１面及び第２面と、これら第１面及び第２面の周縁に連なる外周面とを有しており、
上記第１面及び第２面が上記金属素材を露出させた銀色の艶消し面となっていて、上記外周面が金メッキによる金色の光沢面となっており、
各鋏片が、その柄部における上記刃部と隣接する部位において、互いに第２面を対向させて重畳されると共に、軸廻りに回動自在に結合されている、
ことを特徴とする化粧用鋏。
【請求項２】
上記柄部が、その第１面及び第２面を貫通して、指を挿通させるための指環を有しており、
該指環における上記第１面及び第２面に連なる内周面が、金メッキによる金色の光沢面となっている、
ことを特徴とする請求項１に記載の化粧用鋏。
【請求項３】
上記柄部の第１面及び第２面が、上記鋏片の長手方向に延びるヘアラインにより艶消しされている、
ことを特徴とする請求項１又は請求項２に記載の化粧用鋏。
【請求項４】
請求項１に記載の化粧用鋏を製造する方法であって、
上記一対の鋏片における柄部の全面に、金メッキを施すメッキ工程と、
このメッキ工程で金メッキが施された柄部のうち、上記第１面及び第２面のみに研磨加工を施して、該柄部を形成する銀色の金属素材を露出させることにより、該柄部の第１面及び第２面を銀色の艶消し面に仕上げると共に、該柄部の外周面を金メッキによる金色の光沢面とする仕上げ工程とを含む、
ことを特徴とする化粧用鋏の製造方法。
【請求項５】
請求項２に記載の化粧用鋏を製造する方法であって、
上記一対の鋏片における柄部の全面に、金メッキを施すメッキ工程と、
このメッキ工程で金メッキが施された柄部のうち、上記第１面及び第２面のみに研磨加工を施して、該柄部を形成する銀色の金属素材を露出させることにより、該柄部の第１面及び第２面を銀色の艶消し面に仕上げると共に、該柄部の外周面及び指環の内周面を金メッキによる金色の光沢面とする仕上げ工程とを含む、
ことを特徴とする化粧用鋏の製造方法。
【請求項６】
上記仕上げ工程における研磨加工を鋏片の長手方向に沿って施し、上記柄部の第１面及び第２面に該鋏片の長手方向に延びるヘアラインを形成することにより、これら第１面及び第２面を銀色の艶消し面に仕上げる、
ことを特徴とする請求項４又は請求項５に記載の化粧用鋏の製造方法。
【発明の詳細な説明】
【技術分野】
【０００１】
本発明は、化粧の際に、例えばまつ毛や眉毛のカット、あるいは爪の甘皮を切ったりする場合等に用いられる化粧用鋏、及びその化粧用鋏の製造方法に関するものである。
【背景技術】
【０００２】
化粧の際に、例えばまつ毛や眉毛のカット等に用いられる化粧用鋏は、従来から広く知られており、様々な形状のものや、例えば特許文献１に記載されたもののように、様々な機能を付加したものが提案されている。
ところで、この種の化粧用小物においては、需要者は、その機能性や使用感ばかりでなくデザイン性をも重要視する傾向にある。
しかしながら、化粧用鋏においては、形状的なデザインについては、様々なものが提案され販売されているものの、色彩や光沢を利用したデザインについては、現状では未だ十分な検討がなされていないのが実状である。
【０００３】
【特許文献１】特開平１１−３０００６１号公報
【発明の開示】
【発明が解決しようとする課題】
【０００４】
本発明の技術的課題は、色彩や光沢のコントラストをデザインに取り入れることにより、高級感を有しデザイン性に優れた化粧用鋏を提供することにある。また同時に、そのような化粧用鋏をより効率的に製造することが可能な方法を提供することにある。
【課題を解決するための手段】
【０００５】
上記課題を解決するため、本発明に係る化粧用鋏は、長手方向の第１端側に刃部を備え第２端側に柄部を備えた一対の鋏片が、互いに軸廻りに回動自在に結合されて成る化粧用鋏であって、各鋏片の柄部がそれぞれ、銀色の金属素材により一体に形成されていて、互いに背向する第１面及び第２面と、これら第１面及び第２面の周縁に連なる外周面とを有しており、上記第１面及び第２面が上記金属素材を露出させた銀色の艶消し面となっていて、上記外周面が金メッキによる金色の光沢面となっており、各鋏片が、その柄部における上記刃部と隣接する部位において、互いに第２面を対向させて重畳されると共に、軸廻りに回動自在に結合されていることを特徴としている。
【０００６】
そして、上記柄部が、その第１面及び第２面を貫通して、指を挿通させるための指環を有している場合には、該指環における上記第１面及び第２面に連なる内周面も、金メッキによる金色の光沢面となっている。なお、上記化粧用鋏においては、上記柄部の第１面及び第２面が、上記鋏片の長手方向に延びるヘアラインにより艶消しされていると、より好ましい。
【０００７】
また、上記課題を解決するため、本発明に係る上記化粧用鋏の製造方法は、上記一対の鋏片における柄部の全面に、金メッキを施すメッキ工程と、このメッキ工程で金メッキが施された柄部のうち、上記第１面及び第２面のみに研磨加工を施して、該柄部を形成する銀色の金属素材を露出させることにより、該柄部の第１面及び第２面を銀色の艶消し面に仕上げると共に、該柄部の外周面を金メッキによる金色の光沢面とする仕上げ工程とを含むことを特徴としている。
【０００８】
そして、特に、上記柄部が、指を挿通させるための指環を有している場合には、上記化粧用鋏の製造方法は、上記一対の鋏片における柄部の全面に、金メッキを施すメッキ工程と、このメッキ工程で金メッキが施された柄部のうち、上記第１面及び第２面のみに研磨加工を施して、該柄部を形成する銀色の金属素材を露出させることにより、該柄部の第１面及び第２面を銀色の艶消し面に仕上げると共に、該柄部の外周面及び指環の内周面を金メッキによる金色の光沢面とする仕上げ工程とを含むことができる。
【０００９】
なお、上記化粧用鋏の製造方法においては、上記仕上げ工程における研磨加工を鋏片の長手方向に沿って施し、上記柄部の第１面及び第２面に該鋏片の長手方向に延びるヘアラインを形成することにより、これら第１面及び第２面を銀色の艶消し面に仕上げると、より好ましい。
【発明の効果】
【００１０】
本発明によれば、各柄部における互いに背向する一対の面に配した金属素材の艶消しされた銀色と、各柄部における側面に配した金メッキによる光沢を有する金色とのコントラストにより、豪華で立体感があり、高級感と優れたデザイン性とを兼ね備えた化粧用鋏を提供することができる。また、本発明によれば、上記化粧用鋏をより効率的に製造することが可能な方法を提供することができる。
【発明を実施するための最良の形態】
【００１１】
以下に、本発明に係る化粧用鋏を実施するための最良の形態を、図面を参照しながら詳細に説明するに、図１〜図３は本発明に係る化粧用鋏の一実施例を示している。
この化粧用鋏１は、概略的には、長手方向の第１端側に刃部２１，３１を備えると共に、第２端側に柄部２２，３２をそれぞれ備えた平面視略対称形状をなす一対の鋏片２，３を、各鋏片２，３を結合する枢軸４によって互いに軸廻りに回動自在に結合することにより構成したものであり、上記刃部２１，３１は、まつげや眉毛を整えたり、爪の甘皮を切ったりする場合に都合のよい反り刃の形状に形成されている。
なお、上記鋏片２，３は、上述した平面視略対称形状に形成したものに限定されず、当該化粧用鋏１の用途に応じて、互いに異なる形状とすることもできる。また、上記刃部２１，３１の形状は、上述した反り刃に形成したものに限らず、当該化粧用鋏１の用途に応じて、例えば、直刃等の適宜の形状に形成することができる。
【００１２】
より具体的には、上記化粧用鋏１においては、図１〜図３に示すように、各鋏片２，３における長手方向の第１端側の刃部２１，３１と第２端側の柄部２２，３２とが、それぞれ該鋏片２，３の長手方向に隣接してステンレス鋼や各種合金鋼等の銀色の金属素材により一体的に形成されている。このとき、上記各鋏片２，３の柄部２２，３２はそれぞれ、上記金属素材により全体的に略均一の厚さで一体に形成されていて、互いに略等しい厚さを有しており、互いに背向する第１面２２Ａ，３２Ａ及び第２面２２Ｂ，３２Ｂと、これら第１面２２Ａ，３２Ａ及び第２面２２Ｂ，３２Ｂの周縁に連なる外周面２２Ｃ，３２Ｃとを有している。また、該鋏片２，３における第２端側の端部に位置するところの上記柄部２２，３２の端部には、それらの第１面２２Ａ，３２Ａ及び第２面２２Ｂ，３２Ｂを貫通して、指を挿通させるための指環２３，３３が形成されており、該指環２３，３３の周囲には、上記第１面２２Ａ，３２Ａ及び第２面２２Ｂ，３２Ｂに連なる内周面２２Ｄ，３２Ｄが形成されている。
【００１３】
そして、これら各鋏片２，３は、それらの柄部２２，３２における上記刃部２１，３１と隣接する部位において、互いに第２面２２Ｂ，３２Ｂを対向させて重畳されると共に、該部において各柄部２２，３２を貫通する軸穴２２Ｅ，３２Ｅ（図６参照）に挿通した枢軸４により、軸廻りに回動自在に結合されている。このとき、上記各柄部２２，３２は、重畳された上記軸穴２２Ｅ，３２Ｅ近傍から指環２３，３３方向（第２端方向）に沿って、互いに第２面２２Ｂ，３２Ｂ側に屈曲されており、該指環２３，３３近傍において、各柄部２２，３２の第１面２２Ａ，３２Ａと第２面２２Ｂ，３２Ｂとが互いに略面一を成すように形成されている。
なお、上記鋏片２，３の柄部２２，３２には、必ずしも指環２３，３３を設ける必要はなく、当該化粧用鋏１の用途に応じて、該指環２３，３３を設けないものとして構成することができ、また逆に、上記鋏片２，３の柄部２２，３２に複数の指環を設けた構成とすることもできる。
【００１４】
ここで、上記化粧用鋏１においては、それぞれの鋏片２，３における第１面２２Ａ，３２Ａ及び第２面２２Ｂ，３２Ｂの全体が、銀色の金属素材を露出させて、その表面に長手方向に延びるヘアラインが施された艶消し面に形成されており、その一方で、これら第１面２２Ａ，３２Ａ及び第２面２２Ｂ．３２Ｂの周縁に連なる外周面２２Ｃ，３２Ｃ及び上記指環２３，３３の内周面２２Ｄ，３２Ｄの全体が、金メッキによる金色の光沢面に形成されている。
このように、ヘアラインによる銀色の艶消し面と金メッキによる金色の光沢面とを鋏片２，３の各面に配して、色彩と光沢のコントラストをデザインに取り入れることにより、特に、上記柄部２２，３２の外周面２２Ｃ，３２Ｃや指環２３，３３の内周面２２Ｄ，３２Ｄを際立たせて、当該化粧用鋏１を、豪華で立体感があり、高級感と優れたデザイン性を兼ね備えたものとすることができる。
【００１５】
次に、図面を参照しながら上記化粧用鋏１の製造方法について説明する。なお、化粧用鋏１を構成する各鋏片２，３の製造方法は実質的に同様のものであるから、以下の説明においては、上記化粧用鋏１を構成する鋏片２に関連する事項について説明するものとし、上記鋏片３に関連する事項については、特に必要である場合を除き、適宜符号を読み替えるものとして、その説明を省略する。
【００１６】
上記構成を有する化粧用鋏１を製造するにあたっては、先ず、図４に示すように、メッキ工程において、所定の製造工程を経て製造された化粧用鋏１を構成する上記鋏片２における刃部２１及び柄部２２を含めた全面に、金メッキを施す。
次いで、図５に示すように、仕上げ工程において、上記メッキ工程で金メッキが施された上記鋏片２の柄部２２のうち、該柄部２２の第１面２２Ａ及び第２面２２Ｂのみに、該鋏片２の長手方向、即ち図５に示す研磨方向Ｘに沿って研磨加工を施して、該柄部２２を形成する銀色の金属素材を露出させると同時に、該鋏片２の長手方向に延びるヘアラインを形成することにより、該第１面２２Ａ及び第２面２２Ｂの全体を銀色の艶消し面に仕上げる。また、上記鋏片２の刃部２１についてもその全体に、該鋏片２の長手方向に交叉する方向（図５に示す研磨方向Ｙ）に沿って研磨加工を施すことにより、該刃部２１を形成する金属素材を露出させる。その結果、鋏片２において、該柄部２２の外周面２２Ｃ及び指環２３の内周面２２Ｄに施された金メッキのみが残り、これら周面全体を金メッキによる金色の光沢面とすることができる。
なお、上記刃部２１の切れ刃は、必ずしも上記メッキ工程で該鋏片２に金メッキを施す前の製造工程で形成しておく必要性はなく、該鋏片２に金メッキを施した後の仕上げ工程における上記研磨方向Ｙに沿った研磨加工により該切れ刃を形成してもよい。
【００１７】
当該化粧用鋏１を構成する上記鋏片３についても、上述した鋏片２と同様の工程により、該鋏片３における柄部３２の第１面３２Ａ及び第２面３２Ｂを銀色の艶消し面に仕上げることができると共に、該柄部３２の外周面３２Ｃ及び指環３３の内周面３２Ｄを金メッキによる金色の光沢面とすることができる。
【００１８】
上述のように一連の工程を経て形成された一対の鋏片２，３は、図６に示すように、それらの柄部２２，３２における上記刃部２１，３１と隣接する部位において、互いに第２面２２Ｂ，３２Ｂを対向させて重畳したうえで、該部において各柄部２２，３２を貫通する軸穴２２Ｅ，３２Ｅに枢軸４を挿通することにより、軸廻りに相互に回動自在に結合され、図１〜３に示すような化粧用鋏１として組み立てられる。
【００１９】
以上に詳述した上記化粧用鋏１の製造方法によれば、鋏片２，３の外周面２２Ｃ，３２Ｃ及び指環２３，３３の内周面２２Ｄ，３２Ｄに金メッキを施すにあたり、その他の刃部２１，３１や、柄部２２，３２の第１面２２Ａ，３２Ａ及び第２面２２Ｂ，３２Ｂにマスキング等の処置をする必要性が無く、しかも、この金メッキを施した後、上記第１面２２Ａ，３２Ａ及び第２面２２Ｂ，３２Ｂの金メッキを除去する研磨加工により、これらの面にヘアラインによる艶消し仕上げをも同時に施すことができるため、上記化粧用鋏１をより効率的に製造することが可能となる。
【００２０】
ここで、本発明に係る化粧用鋏及びその製造方法は、上述した実施例において説明した形態に限定されず、特許請求の範囲に記載されている発明の精神を逸脱しない範囲で、種々の修正及び変更ができるものである。
【図面の簡単な説明】
【００２１】
【図１】本発明の化粧用鋏の実施例を示す平面図である。
【図２】同側面図である。
【図３】同化粧用鋏を開いた状態を示す斜視図である
【図４】メッキ工程において、鋏片の全面に金メッキを施した状態を示す斜視図である。
【図５】仕上げ工程において、鋏片の柄部と刃部を研磨加工した状態を示す斜視図である。
【図６】仕上げ工程後の一対の鋏片を組み立てて、化粧用鋏を構成する態様を説明する分解斜視図である。
【符号の説明】
【００２２】
１    化粧用鋏
２，３    鋏片
２１，３１    刃部
２２，３２    柄部
２２Ａ，３２Ａ  第１面
２２Ｂ，３２Ｂ  第２面
２２Ｃ，３２Ｃ  外周面
２２Ｄ，３２Ｄ  内周面
２３，３３    指環
Ｘ，Ｙ    研磨方向
【図１】
2008148772.tif 000003
【図２】
2008148772.tif 000004
【図３】
2008148772.tif 000005
【図４】
2008148772.tif 000006
【図５】
2008148772.tif 000007
【図６】
2008148772.tif 000008